(57)【要約】【課題】競技種目を変更した際に、容易にラインを変更することが可能なライン表示システムを提供する。【解決手段】ライン表示システム１は、光透過性を有する床５００と、床５００に対して下方からライン画像の投写を行うように設置されるプロジェクター１００と、を備える。【選択図】図１
2011194109.tif 000002
【特許請求の範囲】
【請求項１】
競技種目に対応したコートあるいはフィールドを表すライン画像を床面に表示するライン表示システムであって、
光透過性を有する床と、
前記床に対して下方から前記ライン画像の投写を行うように設置されるプロジェクターと、
を備えることを特徴とするライン表示システム。
【請求項２】
請求項１に記載のライン表示システムであって、
前記ライン画像の情報としてのライン情報を前記プロジェクターに供給するライン情報供給装置をさらに有し、
前記プロジェクターは、前記ライン情報供給装置から供給された前記ライン情報に基づいて、前記ライン画像を投写することを特徴とするライン表示システム。
【請求項３】
請求項１に記載のライン表示システムであって、
前記プロジェクターは、前記ライン画像の情報としてのライン情報を記憶するライン情報記憶部を有し、
前記プロジェクターは、前記ライン情報記憶部に記憶された前記ライン情報に基づいて、前記ライン画像を投写することを特徴とするライン表示システム。
【請求項４】
請求項３に記載のライン表示システムであって、
前記ライン情報記憶部は、前記ライン情報を複数記憶できるように構成され、
前記プロジェクターは、前記ライン情報記憶部に記憶された複数の前記ライン情報のうち、１つを選択する選択操作を受け付ける選択操作受付部をさらに有し、
前記プロジェクターは、前記選択操作受付部によって選択された前記ライン情報に基づいて、前記ライン画像を投写することを特徴とするライン表示システム。
【請求項５】
請求項１乃至４のいずれか一項に記載のライン表示システムであって、
前記床は、光透過性を有する光透過層と、入射した光を拡散させる光拡散層とを有することを特徴とするライン表示システム。
【請求項６】
請求項５に記載のライン表示システムであって、
前記光透過層は、ポリカーボネートを有する樹脂により構成されることを特徴とするライン表示システム。
【請求項７】
請求項５に記載のライン表示システムであって、
前記光透過層は、強化ガラスを有して構成されることを特徴とするライン表示システム。
【請求項８】
請求項５乃至７のいずれか一項に記載のライン表示システムであって、
前記床は、上面に保護層をさらに有することを特徴とするライン表示システム。
【発明の詳細な説明】
【技術分野】
【０００１】
本発明は、プロジェクターを用いたライン表示システムに関する。
【背景技術】
【０００２】
体育館や競技場等では、様々な競技が行われるため、競技種目に応じてラインを設置していた。従来、ラインの設置は、石灰やペイントを用いたり、布や紐等を使用したりしており、異なる競技を行う場合には、ラインを消去したり撤去したりして、新たにラインを設置しなおしていた。しかし、このように、ラインを消去したり撤去したりして、設置しなおすのは、手間が掛かるという課題があった。また、体育館や競技場に、予め複数の競技種目のためのラインを混在させて設置している場合もあったが、競技者が混乱してしまう場合があった。
【０００３】
特許文献１には、多目的競技場において、予め競技場に埋設された無線ＩＣタグと、無線ＩＣタグを読み取り可能な可搬型コンピューターとを利用して、競技毎に異なるフィールドラインを設置する作業を支援するシステムが開示されている。
【先行技術文献】
【特許文献】
【０００４】
【特許文献１】特開２００８−１８８１３５号公報
【発明の概要】
【発明が解決しようとする課題】
【０００５】
しかしながら、特許文献１のライン設置支援システムでは、ラインを設置しなおす手間を低減することはできないという問題があった。また、無線ＩＣタグを埋設しなければならないため、予め決められた競技にしか対応できないという問題もあった。よって、競技種目を変更した際に、容易にラインを変更することが可能なライン設置システム（ライン表示システム）が求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るライン表示システムは、競技種目に対応したコートあるいはフィールドを表すライン画像を床面に表示するライン表示システムであって、光透過性を有する床と、前記床に対して下方から前記ライン画像の投写を行うように設置されるプロジェクターと、を備えることを特徴とする。
【０００８】
このようなライン表示システムによれば、プロジェクターは、光透過性を有する床に対して下方からライン画像の投写を行うように設置される。つまり、プロジェクターによって床にライン画像が表示（投写）される。これにより、プロジェクターが投写するライン画像を変更することによって、競技種目の変更に容易に対応することができる。
【０００９】
［適用例２］上記適用例に係るライン表示システムにおいて、前記ライン画像の情報としてのライン情報を前記プロジェクターに供給するライン情報供給装置をさらに有し、前記プロジェクターは、前記ライン情報供給装置から供給された前記ライン情報に基づいて、前記ライン画像を投写することを特徴とする。
【００１０】
このようなライン表示システムによれば、ライン情報供給装置を有する。ライン情報供給装置は、プロジェクターにライン情報を供給する。そして、プロジェクターは、供給されたライン情報に基づいてライン画像を投写する。これにより、ライン表示システムは、ライン情報供給装置によって、容易にライン情報の変更や追加を行うことが可能になる。そして、プロジェクターは、ライン情報供給装置から供給されたライン情報に基づいてライン画像を投写すればよいため、プロジェクターの構成を簡易化することができる。
【００１１】
［適用例３］上記適用例に係るライン表示システムにおいて、前記プロジェクターは、前記ライン画像の情報としてのライン情報を記憶するライン情報記憶部を有し、前記プロジェクターは、前記ライン情報記憶部に記憶された前記ライン情報に基づいて、前記ライン画像を投写することを特徴とする。
【００１２】
このようなライン表示システムによれば、プロジェクターは、ライン情報記憶部を有する。ライン情報記憶部は、ライン情報を記憶する。そして、プロジェクターは、ライン情報に基づいてライン画像を投写する。これにより、プロジェクターにライン情報が記憶されているため、プロジェクターにライン情報を供給するための装置を接続する必要がなく、ライン表示システムを簡易化することができる。
【００１３】
［適用例４］上記適用例に係るライン表示システムにおいて、前記ライン情報記憶部は、前記ライン情報を複数記憶できるように構成され、前記プロジェクターは、前記ライン情報記憶部に記憶された複数の前記ライン情報のうち、１つを選択する選択操作を受け付ける選択操作受付部をさらに有し、前記プロジェクターは、前記選択操作受付部によって選択された前記ライン情報に基づいて、前記ライン画像を投写することを特徴とする。
【００１４】
このようなライン表示システムによれば、プロジェクターのライン情報記憶部は、ライン情報を複数記憶する。また、プロジェクターは、選択操作受付部を有する。選択操作受付部は、複数のライン情報のうち、１つを選択する選択操作を受け付ける。そして、プロジェクターは、選択されたライン情報に基づいてライン画像を投写する。これにより、プロジェクターに複数のライン情報が記憶されているため、プロジェクターにライン情報を供給するための装置を接続する必要がなく、ライン表示システムを簡易化することができる。
【００１５】
［適用例５］上記適用例に係るライン表示システムにおいて、前記床は、光透過性を有する光透過層と、入射した光を拡散させる光拡散層とを有することを特徴とする。
【００１６】
このようなライン表示システムによれば、床は、光透過層と光拡散層とを有する。これにより、プロジェクターから投写されたライン画像の光が透過および拡散されるため、床の上方からのライン画像の視認性が向上する。
【００１７】
［適用例６］上記適用例に係るライン表示システムにおいて、前記光透過層は、ポリカーボネートを有する樹脂により構成されることを特徴とする。
【００１８】
このようなライン表示システムによれば、光透過層は、ポリカーボネートを有する樹脂により構成される。ポリカーボネートは、光透過性が高いため光透過層として好適である。また、ポリカーボネートは、耐衝撃性に優れ、難燃性であるため、床材として好適である。
【００１９】
［適用例７］上記適用例に係るライン表示システムにおいて、前記光透過層は、強化ガラスを有して構成されることを特徴とする。
【００２０】
このようなライン表示システムによれば、光透過層は、強化ガラスを有して構成される。強化ガラスは、光透過性が高いため光透過層として好適である。また、強化ガラスは、硬度が高く傷が付きにくいため、床材として好適である。
【００２１】
［適用例８］上記適用例に係るライン表示システムにおいて、前記床は、上面に保護層をさらに有することを特徴とする。
【００２２】
このようなライン表示システムによれば、床は、上面に保護層を有する。これにより、床の上面は保護されるため、競技等によって光透過層や光拡散層に傷が付くことを低減することができる。
【図面の簡単な説明】
【００２３】
【図１】第１の実施形態に係るライン表示システムによってライン画像が投写されている競技場（体育館）の状態を側方から見た説明図。
【図２】床の断面図。
【図３】ライン表示システムによってライン画像が投写されている体育館の床を上方から見た説明図。
【図４】プロジェクターの概略構成を示すブロック図。
【図５】第２の実施形態に係るライン表示システムによってライン画像が投写されている競技場（体育館）を側方から見た説明図。
【図６】プロジェクターの概略構成を示すブロック図。
【図７】床の斜め下方からライン画像を投写した場合のライン表示システムの説明図。
【図８】鏡を使用してライン画像を投写した場合のライン表示システムの説明図。
【発明を実施するための形態】
【００２４】
以下、実施形態について説明する。
【００２５】
（第１の実施形態）
第１の実施形態では、ライン情報供給装置としてパーソナルコンピューター（以降、「ＰＣ」と呼ぶ）３００を有し、そのＰＣ３００から供給されるライン情報に基づいてライン画像を投写するライン表示システムについて説明する。
【００２６】
図１は、第１の実施形態に係るライン表示システムによってライン画像が投写されている競技場（体育館Ｇ）の状態を側方から見た説明図である。図１に示すように、本実施形態のライン表示システム１は、プロジェクター１００とＰＣ３００と体育館Ｇの床５００とによって構成されている。また、図１には競技者Ｈが表されている。
【００２７】
プロジェクター１００は、ケーブルＣＢを介してＰＣ３００と接続されている。そして、プロジェクター１００は、体育館Ｇの床５００の下方の略中央に、後述する投写レンズ１３が床５００の裏面に正対するように設置されている。そして、プロジェクター１００は、ＰＣ３００から供給されるライン画像の画像情報に基づいて、画像光を床５００に対して下方から投写する。
【００２８】
ここで、床５００について説明する。
図２は、床５００の断面図である。図２に示すように、床５００は、下方から順に光透過層５０１、光拡散層５０２、光透過層５０３、および保護層５０４により構成されている。
【００２９】
本実施形態では、光透過層５０１および光透過層５０３は、光透過性が高いポリカーボネートを有する樹脂により構成されている。なお、光透過層５０１および光透過層５０３は、強化ガラスにより構成されていてもよい。
【００３０】
また、光拡散層５０２は、炭酸カルシウムや二酸化ケイ素等の拡散材と、ポリエチレン等とを混合して得られる合成樹脂により構成されている。このような構成により光拡散層５０２は、入射された光を拡散させる。なお、拡散材として利用できる物質は、炭酸カルシウムや二酸化ケイ素等の無機材料には限定されず、アクリル系樹脂等の有機材料も利用可能である。拡散材の粒径は、１〜５０μｍ程度が好適である。また、これらの拡散材を含む合成樹脂から製造されたフィルムや板材を光拡散層５０２とすることも可能である。また、これらの拡散材を混ぜた塗料を光透過層５０１や光透過層５０３に塗布する方法でも、光拡散層５０２を形成することができる。
【００３１】
保護層５０４は、ウレタンやアクリル等の合成樹脂を有し、光透過性のある皮膜により構成されている。本実施形態では、このような皮膜は、ワックスとして光透過層５０３に塗布されている。
【００３２】
プロジェクター１００によって下方から投写された画像光は、床５００の光透過層５０１を透過して、光拡散層５０２により拡散され、さらに光透過層５０３および保護層５０４を透過することで、床５００に画像として表示される。そして、競技者や観戦者は、床５００の上方からライン画像を視認することができる。
【００３３】
図３は、本実施形態に係るライン表示システム１によってライン画像が投写されている体育館Ｇの床５００を上方から見た説明図である。図３では、バスケットボールのコートのライン画像が投写されている。プロジェクター１００が投写したライン画像は、床５００上でラインＬとして表示される。なお、ライン表示システム１は、バスケットボールのコートのラインＬ以外にも、様々な競技種目のコートのラインを表示させることができる。
【００３４】
次に、本実施形態に係るライン表示システム１が有するプロジェクター１００およびＰＣ３００について説明する。
図４は、本実施形態に係るプロジェクター１００の概略構成を示すブロック図である。図４を使用して、プロジェクター１００の内部構成について説明する。
【００３５】
プロジェクター１００は、画像投写部１０、制御部２０、操作受付部２１、制御情報入出力部２２、光源制御部２３、画像情報入力部３１、画像処理部３２等を備えている。
【００３６】
画像投写部１０は、超高圧水銀ランプやメタルハライドランプ等の放電型光源や、ＬＥＤ（Light Emitting Diode）やレーザー等の固体光源からなる光源１１と、光源１１から射出される光を変調する光変調装置としての液晶ライトバルブ１２と、液晶ライトバルブ１２から射出される変調光を投写する投写レンズ１３と、液晶ライトバルブ１２を駆動するライトバルブ駆動部１４とを備えている。
【００３７】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００３８】
光源１１から射出された光は、この液晶ライトバルブ１２を透過することによって変調され、変調後の光が投写レンズ１３によって投写されることにより、床５００に画像情報（ライン情報）に応じた画像（ライン画像）が表示される。
【００３９】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１００の動作を統括制御する。
【００４０】
操作受付部２１は、プロジェクター１００に対する各種の入力操作を受け付けるための複数のキー等を備えている。操作受付部２１が備えるキーとしては、電源のオン／オフを行うための「電源キー」や、入力ソースを切り換えるための「入力切換キー」、各種設定を行うためのメニュー画面の表示／非表示を切り換える「メニューキー」、メニュー画面におけるカーソルの移動に用いられる「カーソルキー」、各種設定を決定するための「決定キー」等がある。
【００４１】
ユーザーが操作受付部２１を操作すると、操作受付部２１は、ユーザーの操作内容に応じた操作信号を制御部２０に出力する。なお、操作受付部２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して制御部２０に伝達する。なお、操作信号は赤外線には限定せず、電波による無線通信信号等としてもよい。
【００４２】
制御情報入出力部２２は、ＰＣ３００からプロジェクター１００にケーブルＣＢ２を介して送信される制御情報や、プロジェクター１００からＰＣ３００に送信される応答情報等を入出力するための入出力端子（図示せず）を備える。入出力端子としては、例えばＲＳ−２３２Ｃ等のシリアル通信規格の入出力端子とする。入出力端子によって入力された制御情報は、制御部２０に伝達される。制御情報としては、操作受付部２１が受け付ける各種キーに相当する操作信号や、プロジェクター１００の状態を取得するための状態取得信号等がある。また、制御部２０は、入出力端子を介して応答情報等をＰＣ３００に出力する。応答情報としては、状態取得信号に対する応答信号等がある。
【００４３】
光源制御部２３は、制御部２０の指示に基づいて、光源１１に対する電力の供給と停止とを制御し、光源１１の点灯および消灯を切り換える。
【００４４】
画像情報入力部３１には、ＰＣやビデオ再生装置、メモリーカード、ＵＳＢストレージ、デジタルカメラ等、外部の画像供給装置（図示せず）とケーブルを介した接続を行うための各種の画像入力端子（図示せず）が備えられており、画像供給装置から画像情報（ライン情報）が入力される。本実施形態では、画像供給装置はＰＣ３００としており、ＰＣ３００からケーブルＣＢ１を介してライン情報を入力する。画像情報入力部３１は、入力されるライン情報を、画像処理部３２で処理可能な形式のライン画像データに変換して、画像処理部３２に出力する。
【００４５】
画像処理部３２は、画像情報入力部３１から入力されるライン画像データを、液晶ライトバルブ１２の各画素の階調を表す画像データに変換する。ここで、変換された画像データは、液晶ライトバルブ１２のすべての画素に対応する複数の画素値によって構成されている。画素値とは、対応する画素の光透過率を定めるものであり、この画素値によって、各画素を透過する光の強弱（階調）が規定される。また、画像処理部３２は、制御部２０の指示に基づき、変換した画像データに対して、明るさ、コントラスト、シャープネス、色合い等を調整するための画質調整処理等を行う。さらに、画像処理部３２では、必要に応じてＯＳＤ（オンスクリーンディスプレイ）画像を画像データに重畳する処理を行う。画像処理部３２で処理された画像データは、ライトバルブ駆動部１４に出力される。
【００４６】
ライトバルブ駆動部１４が、画像処理部３２から入力される画像データに従って液晶ライトバルブ１２を駆動すると、液晶ライトバルブ１２は、光源１１から入射する光を、画像データに応じて画像光に変調し、この画像光が投写レンズ１３から投写される。
【００４７】
ＰＣ３００は、パーソナルコンピューターである。ＰＣ３００は記憶部３００ａとユーザーインターフェイス３００ｂとを有しており、ライン画像の情報としてのライン情報を記憶する。記憶部３００ａには、様々な競技種目に応じた複数のライン情報が記憶されている。ＰＣ３００は、記憶部３００ａに記憶されたライン情報のうち、ユーザーインターフェイス３００ｂを通じてユーザーが選択したライン情報を、プロジェクター１００の画像情報入力部３１に出力する。記憶部３００ａとして、ハードディスクドライブや、不揮発性半導体メモリーのほか、各種の光ディスクを採用することができる。ユーザーインターフェイス３００ｂは、キーボードやマウスなどの入力装置と、液晶ディスプレイ等の表示装置とを含む。なお、ユーザーインターフェイス３００ｂは、入力装置と表示装置とが一体化されたタッチパネルであってもよい。
【００４８】
また、ＰＣ３００は、ユーザーによる操作に基づき、プロジェクター１００の制御情報入出力部２２に対して制御情報を出力したり、応答情報を入力したりすることで、プロジェクター１００の動作を制御する。
【００４９】
上述したライン表示システム１では、プロジェクター１００はＰＣ３００から入力されるライン情報に基づいてライン画像を投写して、床５００にラインＬを表示することができる。
【００５０】
上述した第１の実施形態によれば、以下の効果が得られる。
（１）ライン表示システム１が有するプロジェクター１００は、床５００に対して下方からライン画像を投写する。これにより、プロジェクター１００が投写するライン画像を変更することで、競技種目の変更に容易に対応することが可能となる。また、複数の競技種目のためのラインを混在させて設置する必要がないため、競技者が混乱してしまう事態を回避することができる。また、競技者や観戦者は、下方から投写されて床５００に表示されたラインＬを上方から目視するため、ラインＬの視認性が向上する。
【００５１】
（２）ライン表示システム１は、ライン情報を複数記憶したＰＣ３００を有する。そして、ＰＣ３００は、プロジェクター１００にライン情報を供給し、プロジェクター１００は、供給されたライン情報に基づいてライン画像を投写する。また、ＰＣ３００は、プロジェクター１００を、制御情報によって制御することが可能である。これにより、ＰＣ３００に複数のライン情報を記憶させることによって、容易にライン情報の変更や追加を行うことが可能になる。また、プロジェクター１００は、ＰＣ３００から供給されたライン情報に基づいてライン画像を投写すればよいため、プロジェクター１００の内部構成を簡易化することができる。さらに、ＰＣ３００は、プロジェクター１００から離れた位置からプロジェクター１００の動作を制御することができるため、利便性が高い。
【００５２】
（３）ライン表示システム１によって表示されたラインＬは、石灰やペイントで設置されたラインと異なり、磨耗等によって消えることがない。
【００５３】
（４）ライン表示システム１において、床５００は、光透過層５０１，５０３と光拡散層５０２とを有する。これにより、プロジェクター１００から投写されたライン画像の光が透過および拡散されるため、床５００の上方からのライン画像の視認性が向上する。
【００５４】
（５）ライン表示システム１において、床５００は、上面に保護層５０４を有する。これにより、床５００の上面は保護されるため、競技等が行われることによって光透過層５０３に傷が付くことを低減できる。
【００５５】
（６）ライン表示システム１において、光透過層５０１，５０３は、ポリカーボネートを有する樹脂により構成される。ポリカーボネートは、光透過性が高いため光透過層として好適である。また、ポリカーボネートは、耐衝撃性に優れ、難燃性である。また、比重が小さいため、床材として好適である。
また、光透過層５０１，５０３は、強化ガラスを有して構成されてもよい。強化ガラスは、光透過性が高いため光透過層として好適である。また、強化ガラスは、硬度が高く傷が付きにくいため、床材として好適である。また、ポリビニルブチラール樹脂等を主成分とする中間膜を有する合わせ強化ガラスは、割れにくく、破損した場合にも破片が飛散しにくいため、床材として好適である。
【００５６】
（７）ライン表示システム１において、保護層５０４は、ウレタンやアクリル等の合成樹脂を有する皮膜により構成される。これにより、光透過層５０３を傷や汚れから守ると同時に、光沢を与えることができる。さらに、このような合成樹脂を有する皮膜は、傷や汚れが付いた場合にも、磨くことで光沢を回復することができる。
【００５７】
（第２の実施形態）
以下、第２の実施形態について説明する。
【００５８】
第２の実施形態では、ライン情報を記憶可能なプロジェクターを有するライン表示システムについて説明する。
【００５９】
図５は、第２の実施形態に係るライン表示システム２によってライン画像が投写されている競技場（体育館Ｇ）を側方から見た説明図である。図５に示すように、本実施形態のライン表示システム２は、プロジェクター２００と体育館Ｇの床５００とによって構成されており、第１の実施形態のライン表示システム１が備えていたＰＣ３００を備えないものとする。また、図５には競技者Ｈが表されている。
【００６０】
プロジェクター２００は、第１の実施形態のライン表示システム１と同様に、体育館Ｇの床５００の下方の略中央に、床５００に正対するように設置されている。そして、プロジェクター２００は、画像光を床５００に対して下方から投写する。床５００の構成は、第１の実施形態と同様とする。
【００６１】
プロジェクター２００によって下方から投写された画像光は、床５００の光透過層５０１を透過して、光拡散層５０２により拡散され、さらに光透過層５０３および保護層５０４を透過することで、床５００に画像として表示される。そして、競技者や観戦者は、床５００の上方からライン画像を視認することができる。
【００６２】
図６は、本実施形態に係るプロジェクター２００の概略構成を示すブロック図である。図６を使用して、プロジェクター２００の内部構成について説明する。
【００６３】
第２の実施形態に係るプロジェクター２００は、図４で示した第１の実施形態に係るプロジェクター１００が備えている画像情報入力部３１、および制御情報入出力部２２を備えないものとする。そして、プロジェクター２００は、ライン情報記憶部３３、およびライン情報選択部３４を備えるものとする。その他の構成は、図４で示した第１の実施形態に係るプロジェクター１００と同様である。また、各構成部の符号も同様とする。
以降、第１の実施形態との差異について説明する。
【００６４】
操作受付部２１は、第１の実施形態のプロジェクター１００が備えるキーに加えて、投写するライン画像を切り換えるための「ライン画像切換キー」を備えている。なお、ライン画像切換キーを備える操作受付部２１が、選択操作受付部に相当する。
【００６５】
ライン情報記憶部３３は、ライン画像の情報としてのライン情報を記憶する。ライン情報記憶部３３には、様々な競技種目に応じた複数のライン情報が記憶されている。そして、ライン情報記憶部３３は、ライン情報選択部３４から指示されたライン情報を、画像処理部３２で処理可能な形式のライン画像データに変換して、ライン情報選択部３４に出力する。
【００６６】
ライン情報選択部３４は、複数のライン情報のうち、制御部２０の指示に基づく１つのライン情報を選択してライン情報記憶部３３からライン画像データとして入力し、このライン画像データを、画像処理部３２に出力する。ユーザーが、操作受付部２１に備わるライン画像切換キーを操作して所望のライン情報を指定すると、制御部２０は、指定されたライン情報に基づくライン画像データが画像処理部３２に出力されるよう、ライン情報選択部３４に指示をする。
【００６７】
上述したライン表示システム２では、プロジェクター２００に記憶されているライン情報に基づいて、ライン画像を投写して、床５００にラインを表示することができる。
【００６８】
上述した第２の実施形態によれば、第１の実施形態の効果（１）、（３）、（４）、（５）、（６）、および（７）と同様の効果を奏することができる。他に以下の効果が得られる。
（１）ライン表示システム２が有するプロジェクター２００は、ライン情報を複数記憶するライン情報記憶部３３を有し、ユーザーは、複数のライン情報のうち、１つを選択することができる。そして、プロジェクター２００は、選択されたライン情報に基づいてライン画像を投写する。これにより、プロジェクター２００にライン情報を供給するための装置を接続する必要がなく、ライン表示システム２を簡易化することができる。
【００６９】
なお、上述した実施形態に限定されず、種々の変更や改良等を加えて実施することが可能である。変形例を以下に述べる。
【００７０】
（変形例１）上記実施形態では、プロジェクター１００，２００は、体育館Ｇの床５００の下方の略中央に、床５００に正対するように設置するものとしたが、体育館Ｇの床５００の下方に傾斜した状態で設置してもよい。こうすれば、プロジェクター１００，２００の設置位置の自由度が向上する。
図７は、床５００の斜め下方からライン画像を投写した場合のライン表示システム３の説明図である。図７に示すように、ライン表示システム３では、プロジェクター１００は、床５００の下方の右側に、傾斜した状態で設置され、ライン画像を床５００に投写している。なお、プロジェクター１００が床５００に対して斜め方向からライン画像の投写を行うと、投写画像が傾斜方向に拡大してしまう歪（台形歪）が発生する。この場合には、プロジェクター１００に台形歪補正部（図示せず）を備えて、台形歪を抑制するために、画像データの補正（台形歪補正）を行う。台形歪補正とは、画像データから画素値の間引きを行って、傾斜方向に向かうほど投写画像を縮小させるものである。このような台形歪補正を行うことで、床５００に略矩形のライン画像を投写することができる。
【００７１】
（変形例２）上記実施形態では、プロジェクター１００，２００は、体育館Ｇの床５００の下方の略中央に、床５００に正対するように設置するものとしたが、鏡を使用して投写する画像光を反射させることによって、プロジェクター１００，２００の投写レンズ１３を床５００に正対させずに設置してもよい。こうすれば、プロジェクター１００，２００の設置位置の自由度が向上する。また、鏡の角度等を変化させることで、床５００に対する投写位置（ラインの表示位置）を容易に変更することできる。また、プロジェクター１００，２００を立てて設置しなくてもよいため、床５００とプロジェクター１００，２００との距離を短くすることができる。
図８は、鏡を使用してライン画像を投写した場合のライン表示システム４の説明図である。図８に示すように、ライン表示システム４では、プロジェクター１００の投写方向の前方に鏡４００が設置されている。これにより、プロジェクター１００から投写されたライン画像の画像光は、鏡４００で反射されて床５００に投写される。
【００７２】
（変形例３）上記実施形態では、１つのプロジェクターによってライン画像を投写するものとしたが、これに限定するものではなく、複数のプロジェクターを用いてもよい。複数のプロジェクターから投写されるライン画像を重畳（いわゆるスタック投写）すれば、表示されるラインを鮮明にすることができる。また、複数のプロジェクターから投写されるライン画像をそれぞれ異なる位置に投写すれば、床５００の広い範囲にラインを表示することができる。
【００７３】
（変形例４）上記実施形態では、床５００は、光透過層５０１、光拡散層５０２、光透過層５０３、および保護層５０４により構成されるものとしたが、これに限定するものではない。少なくとも、光透過層５０１または光透過層５０３と、光拡散層５０２とを備える構成であればよい。
【００７４】
（変形例５）上記第１の実施形態では、プロジェクター１００は、ＰＣ３００とケーブルＣＢ（ＣＢ１，ＣＢ２）を介して画像情報や制御情報の入出力を行うものとしたが、電波等による無線通信によって画像情報や制御情報の入出力の通信を行ってもよい。こうすれば、プロジェクター１００およびＰＣ３００の設置位置の自由度が向上する。
【００７５】
（変形例６）上記第１の実施形態では、プロジェクター１００は、ＲＳ−２３２Ｃによって、ＰＣ３００と制御情報の入出力の通信を行うものとしたが、ＴＣＰ／ＩＰやＵＳＢ（Universal Serial Bus）等の通信によって制御情報の入出力を行ってもよい。
【００７６】
（変形例７）上記実施形態では、保護層５０４は、ウレタンやアクリル等の合成樹脂を有する皮膜（ワックス）としたが、蝋等の水性ワックスとしてもよい。このような水性ワックスは、環境負荷が低く、且つ、塗り直しや磨き等のメンテナンスが容易である。また、保護層５０４は、シリコン、チタン、セラミック等のハード系ワックスとしてもよい。このようなハード系ワックスは、耐久性が高いという利点がある。
【００７７】
（変形例８）上記第１の実施形態では、ライン情報供給装置はＰＣ３００としたが、ＰＣに限定するものではなく、他の画像供給装置としてもよい。例えば、ビデオ再生装置等としてもよい。また、制御情報を送信することによってプロジェクター１００の動作を制御する装置もＰＣに限定するものではなく、他の電子機器によってプロジェクター１００を制御してもよい。
【００７８】
（変形例９）上記実施形態では、床５００を有する競技場を体育館Ｇとしたが、体育館に限定するものではなく、スポーツジム等としてもよい。また、床（地面）に下方からライン画像を投写可能であれば、屋外の競技場であってもよい。
【００７９】
（変形例１０）上記実施形態では、ライン表示システム１，２は、ライン画像を投写するものとしたが、ライン画像に加えて、広告の画像等を投写してもよい。例えば、スポンサーである企業の広告を投写して床５００に表示することで、競技の観戦者に対する宣伝効果を得ることができる。
【００８０】
（変形例１１）上記実施形態のプロジェクター１００，２００では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００８１】
１，２，３，４…ライン表示システム、１０…画像投写部、１１…光源、１２…液晶ライトバルブ、１３…投写レンズ、１４…ライトバルブ駆動部、２０…制御部、２１…操作受付部、２２…制御情報入出力部、２３…光源制御部、３１…画像情報入力部、３２…画像処理部、３３…ライン情報記憶部、３４…ライン情報選択部、１００，２００…プロジェクター、３００…ＰＣ、３００ａ…記憶部、４００…鏡、５００…床、５０１…光透過層、５０２…光拡散層、５０３…光透過層、５０４…保護層、ＣＢ…ケーブル。
【図１】
2011194109.tif 000003
【図２】
2011194109.tif 000004
【図３】
2011194109.tif 000005
【図４】
2011194109.tif 000006
【図５】
2011194109.tif 000007
【図６】
2011194109.tif 000008
【図７】
2011194109.tif 000009
【図８】
2011194109.tif 000010